(57)【要約】【課題】アース端子の接触不良を防止する。【解決手段】配線ダクト１３の長さ方向に開けられている開口部１４内に挿入可能であって外周につば状の対の支持部８を突出している接続本体部２と、この接続本体部に上下動可能に起立されているアース端子３と、このアース端子に先端に向けてばね力を付与しているばね体４とを備えており、アース端子３は先端部が上記配線ダクト内にかつその長さ方向に配線されているアース線１５に接触可能であり、支持部８は配線ダクト１３内の両側にかつその長さ方向に沿って形成されている側溝１８に上記長さ方向に移動可能に嵌合されるものであると共に、上記側溝から離脱可能である。【選択図】　　　　図１
2004103346.tif 000002
【特許請求の範囲】
【請求項１】
配線ダクトの長さ方向に開けられている開口部内に挿入可能であって外周に支持部を突出している接続本体部と、この接続本体部に上下動可能に起立されているアース端子と、このアース端子に先端に向けてばね力を付与しているばね体とを具備しており、
上記アース端子は、先端部が上記配線ダクト内にかつその長さ方向に配線されているアース線に接触可能であり、
上記支持部は、上記配線ダクト内の両側にかつその長さ方向に沿って形成されている側溝に上記長さ方向に移動可能に嵌合されるものであると共に、上記側溝から離脱可能であり、
上記アース端子に付与する上記ばね体のばね力は、上記アース端子が上記アース線に確実に接触できるものである
ことを特徴とする配線ダクト用アース端子接続装置。
【請求項２】
アース端子は、上側の端子部と下側の端子部を備えており、上記上下両側の端子部間にばね体が配置されていることを特徴とする請求項１記載の配線ダクト用アース端子接続装置。
【請求項３】
接続本体部は、回転操作部を有すると共に、保持手段に回転可能に保持されていることを特徴とする請求項１又は請求項２記載の配線ダクト用アース端子接続装置。
【請求項４】
接続本体部は対の電源取り出し部を設けてあり、各電源取り出し部の一方の端子部は配線ダクトの電源線に接触可能であり、他方の端子部は照明器具に電気的に接続している請求項１、請求項２又は請求項３記載の配線ダクト用アース端子接続装置。
【請求項５】
保持手段は内部にインバータを内蔵する保持体であって、この保持体は照明器具に連結されており、上記インバータと照明器具とが電気的に接続されており、電源取り出し部の他方の端子部は上記インバータに接続されていることを特徴とする請求項４記載の配線ダクト用アース端子接続装置。
【発明の詳細な説明】
【０００１】
【発明の属する技術分野】
本発明は、例えば博覧会や店舗内の展示品等の物品を照明するための照明器具に取付けて使用される配線ダクト用アース端子接続装置に関するものである。
【０００２】
【従来の技術】
博覧会の展示会場や店舗内に飾られている展示品や商品を照明するための照明器具は、仮設又は既設の天井に取付けられている配線ダクトに電気的に接続されかつ移動可能に支持されている。照明器具は、保持手段及び接続装置によって配線ダクトに取付けられる。この接続装置にはアース端子及び電源端子を備えており、これらの端子は配線ダクト内のアース線及び電源線に接続される。
従来の接続装置として、特開平１１−３０７２１３号公報には「配線ダクト用プラグおよび電気器具」が提案されている。
この配線ダクト用プラグには電源用プラグとアース用プラグとの二種類のものが開示されている。一方のアース用プラグの構造は、照明器具の器具本体に設けてある絶縁体と、この絶縁体の外周に突出した取付け部と、上記絶縁体の軸心部に貫通しかつ固定的に起立し、絶縁体上面から露出しているアース端子とを備えているものである。
上記アース用プラグの配線ダクトへの接続は、絶縁体を配線ダクトの下端開口部に下側から上方に向けて差入れてから、器具本体を９０°回転させると、絶縁体及び取付け部も同一方向に回転し、取付け部は配線ダクト内両側の取付け溝部に嵌り込み、同時にアース端子の上端は配線ダクトのアース線に接触される。
【０００３】
【発明が解決しようとする課題】
従来のアース用プラグによれば、次のような課題がある。すなわち、
博覧会の展示会場や店舗内の展示室が広い場合には、その展示室の天井面の水平レベルを保つことは容易ではなく、当初から又は経時的に天井面にたわみが生じ、このために天井面に取付ける配線ダクトがたわみ、このたわみに伴って内部のアース線も全長に亘って水平レベルを維持できない。この結果、配線ダクトに取付けた器具本体のアース用プラグにおけるアース端子は、その上端の位置が一定であることから、アース線との接触不良を起こす課題があり、この接触不良が特にインバータを使用するパルス発振点灯器具から発生する漏れ電流を安全に流すことができないため、事故発生の要因となり得る。
本発明の目的は、アース端子の接触不良を防止することにある。
【０００４】
【課題を解決するための手段】
本発明は、配線ダクトの長さ方向に開けられている開口部内に挿入可能であって外周に支持部を突出している接続本体部と、この接続本体部に上下動可能に起立されているアース端子と、このアース端子に先端に向けてばね力を付与しているばね体とを具備しているものである。上記アース端子は、先端部が上記配線ダクト内にかつその長さ方向に配線されているアース線に所定のばね力をもって接触可能である。上記支持部は、上記配線ダクト内の両側にかつその長さ方向に沿って形成されている側溝に上記長さ方向に移動可能に嵌合されるものであると共に、上記側溝から離脱可能である。上記アース端子に付与する上記ばね体のばね力は、上記アース端子が上記アース線に確実に接触できるものである。
【０００５】
【作用】
ばね体がアース端子を配線ダクトのアース線側にばね付勢していることから、所定のばね力でアース線の設置レベルに影響されることなく、アース端子はアース線に確実に接触し、アース線に対してアース端子の接触不良が防止される。
【０００６】
【発明の実施の形態】
図面を参照して本発明の実施の形態を説明する。
図１に示す本発明に係る配線ダクト用アース端子接続装置１は、例えば図６に示すような展示会に用いる照明器具１０に取付けて使用される。照明器具１０の両側に取付けてある支持フレーム１０ａの上端部にこの例ではインバータ１２を内蔵したボックス状の保持体１１を取付けてある。アース端子接続装置１は保持体１１で保持されており、この保持体がアース端子接続装置の保持手段を構成している。アース端子接続装置１は保持体１１の一側（図６左側）に配置されている。アース端子接続装置１は天井に取付けられている配線ダクト１３（図１）に移動かつ挿入離脱可能に接続される。
アース端子接続装置１は、図１乃至図５に示すように、接続本体部２と、この接続本体部に上下動可能に起立されているアース端子３と、このアース端子に先端に向けてばね力を付与しているばね体４とを具備している。
接続本体部２は保持体１１の上蓋１１ａに開けられている孔１１ａ１を中心として回転可能に設けられている。接続本体部２の中間部より上側が保持体１１の上方に露出され、下側が保持体内に位置している。接続本体部２は軸心部にアース端子用の取付け孔２ａを上下方向に貫通して設けている。接続本体部２内の図１及び図２の左右両側には、銅板などのような導電板からなる対の電源取り出し部５，６を設けてある。各電源取り出し部５の上下両端部は、水平に屈曲されて接続本体部２の外周面より突出されている端子部５ａ，５ｂ，６ａ，６ｂである。下側の各端子部５ｂ，６ｂには固定用のねじ７を取付けてある。各端子部５ｂ，６ｂは、一端をねじ７によって固定される接続配線（図示せず。）を通じてインバータ１２と電気的に接続されている。接続本体部２の上側の端子部５ａ，６ａより下方の位置につば状の対の支持部８を突出してある。接続本体部２の中間部には後端が鉤状に屈曲されたレバー状の回転操作部９（図４）を設けてある。回転操作部９は、図示の例では９０°の範囲で接続本体部２を回転可能である。回転操作部９は、図３に示すように保持体の上蓋１１ａの上面に配置されていると共に、保持体１１の外側まで延長されている。接続本体部２の回転範囲を規制するために、図７に示すように保持体１１の一側上面にほぼ扇形の回転操作用のスペース１１ｂを設け、このスペースの両壁がストッパ１１ｃ１，１１ｃ２となっている。回転操作部９は、基部９ａ及び孔１１ａ１を中心としてスペース１１ｂ内を移動可能であって、ストッパ１１ｃ１，１１ｃ２に当接することにより回転動作が制御される。
接続本体部２は回転操作部９の操作によって回転可能であるために、電源取り出し部５，６及びその端子部５ａ，５ｂ，６ａ，６ｂ並びに支持部８も同一方向に連動して回転することになる。
アース端子３は接続本体部２の取付け孔２ａに挿入され、上端部は接続本体部の上端より上方に露出されている。アース端子３は上側のアース端子部３ａと下側のアース端子部３ｂとでその本体が構成されている。上側のアース端子部３ａは、後述する配線ダクト１３のアース線１５に所定のばね力で接触可能のものである。下側のアース端子部３ｂはアース取付け専用端子であり、外周にねじを設けて、接続本体部２の下部側から挿入されねじ止めされている。
ばね体４は図示の例では導電性部材からなるコイルばねが用いられている。ばね体４は、上側のアース端子部３ａと下側のアース端子部３ｂとの間に配置されており、上下の各アース端子部側にそれぞればね力を付与している。このために、上側のアース端子部３ａは常時上方にばね付勢されていることになる。
【０００７】
配線ダクト１３について説明する。
図２及び図３に示す配線ダクト１３は溝形に形成されており、溝形の導電部材からなるダクト本体１３ａを絶縁性部材で被覆され、下側の開口部１４がその長さ方向に開けられている。配線ダクト１３の内底面に板状のアース線１５を長さ方向に配置してある。アース線１５はダクト本体１３ａに接触されている。配線ダクト１３の内部の両側壁に取付け部である対の取付けリブ１６を対向して配置してあり、各取付けリブに電源線１７を対向して設けてある。各取付けリブ１６の下方の空間は嵌合用の側溝１８が形成されている。
【０００８】
アース端子接続装置１と配線ダクト１３との関係について説明する。
接続本体部２は図４及び図５の状態で配線ダクト１３の開口部１４を通じてその内外に挿入又は離脱が自在である。
また接続本体部２が配線ダクト１３内に差入れられた状態で、回転操作部９を図５に示す位置から反時計方向（矢印方向）に９０°回転させることにより、電源取り出し部５，６及びその端子部５ａ，５ｂ，６ａ，６ｂ並びに支持部８も同一方向に連動して９０°回転する。この時、図１及び図３に示すように、電源取り出し部５，６の上側の端子部５ａ，６ａは電源線１７と接触し、また支持部８は各側溝１８と嵌合される。
【０００９】
次に使用方法について説明する。
アース端子接続装置１を配線ダクト１３に取付けるには、まず回転操作部９を図５実線の位置に設定する。この状態で図４矢印方向にアース端子接続装置１を上昇させて、接続本体部２を配線ダクト１３内に挿入し、アース端子３の上端がアース線１５に接触した段階で上昇動作を停止する。そして、回転操作部９を図５の位置から反時計方向（矢印方向）に９０°回転させると、ストッパ１１ｃ１に当たる。この段階で、電源取り出し部５，６及びその端子部５ａ，５ｂ，６ａ，６ｂ並びに支持部８も同一方向に９０°回転することになるから、図１及び図３に示すように、電源取り出し部５，６の上側の端子部５ａ，６ａは電源線１７と接触し、また支持部８は各側溝１８と嵌合される。嵌合によって、アース端子接続装置１は支持部８によって配線ダクト１３に吊り下げられた状態で取付けられることになる。この結果、アース端子３の上端部はアース線１５にばね体４のばね力によって所定の圧力で接触し、アース機能が発揮される。アース線１５に撓みがあり、このアース線とアース端子３の上端部との距離が多少異なってもばね体４のばね力によって吸収されて、常にアース端子はアース線１５との接触が維持される。
また電源取り出し部５，６の上側の端子部５ａ，６ａは電源線１７と接触し、このために下側の端子部５ｂ，６ｂ及び接続配線を通じてインバータ１２と接続され、電源線１７と照明器具１０とは導通状態となる。
配線ダクト１３からアース端子接続装置１を取外すには、回転操作部を図３の実線の位置から鎖線の位置まで回転させて、接続本体部２を当初の位置に戻すことにより、支持部８と側溝１８との嵌合が解かれることになるから、そこでアース端子接続装置１を図４の鎖線の位置から矢印と反対方向に降下させる。
【００１０】
上例では、アース端子接続装置１の接続本体部２を回転可能としたが、必ずしも回転可能にする必要はなく、上蓋１１ａに固定しても良い。この場合には、配線ダクト１３へのアース端子接続装置１の取付けは、装置自体を回転させる必要がある。またばね体４はコイルばねを用いたが、アース端子３に上方へのばね力を付与するものである限り、上例に限られない。
【００１１】
【発明の効果】
本発明によれば、アース端子はばね体によってアース線側にばね力が付与されているから、簡単な構成によってアース線との接触不良の問題がなく、使用時には常時アース線との確実な接触を図ることができ、そしてインバータを使用している照明器具に適用すれば安全が図られる。
【図面の簡単な説明】
【図１】本発明の実施の形態に係る配線ダクト用アース端子接続装置の使用状態を示す拡大断面図である。
【図２】図１に示す配線ダクトと、配線ダクト用アース端子接続装置との結合状態を分解した断面図である。
【図３】図１の平面図であって、配線ダクトの一部を切り欠いて示す図である。
【図４】配線ダクト用アース端子接続装置を配線ダクトに結合する直前の状態を示す拡大断面図である。
【図５】図４Ｖ−Ｖ線断面図である。
【図６】配線ダクト用アース端子接続装置及び照明器具の側面図である。
【図７】保持体の上蓋の平面図である。
【符号の説明】
１　　　　　　　配線ダクト用アース端子接続装置
２　　　　　　　接続本体部
３　　　　　　　アース端子
４　　　　　　　ばね体
５，６　　　　　電源取り出し部
５ａ，６ａ　　　上側の端子部
５ｂ，６ｂ　　　下側の端子部
８　　　　　　　支持部
９　　　　　　　回転操作部
１０　　　　　　照明器具
１１　　　　　　保持体（保持手段）
１２　　　　　　インバータ
１３　　　　　　配線ダクト
１５　　　　　　アース線
１７　　　　　　電源線
１８　　　　　　側溝
【図１】
2004103346.tif 000003
【図２】
2004103346.tif 000004
【図３】
2004103346.tif 000005
【図４】
2004103346.tif 000006
【図５】
2004103346.tif 000007
【図６】
2004103346.tif 000008
【図７】
2004103346.tif 000009